【手続補正書】
【提出日】平成16年9月27日(2004.9.27)
【手続補正１】
【補正対象書類名】明細書
【補正対象項目名】発明の名称
【補正方法】変更
【補正の内容】
【発明の名称】転写テープ及び転写具並びに転写テープの粘着層の切断方法
【手続補正２】
【補正対象書類名】明細書
【補正対象項目名】特許請求の範囲
【補正方法】変更
【補正の内容】
【特許請求の範囲】
【請求項１】
未使用の基材及び該基材に塗布された粘着層を巻装した送出軸と、前記粘着層を転写した後の前記基材を巻き取る巻取軸と、前記送出軸と前記巻取軸との基材搬送経路の途中箇所に設けられた転写部とを備え、前記転写部を被転写体に押しつけた状態で全体を移動させることで、前記基材に塗布された前記粘着層が該基材から被転写体上に転写されて貼着体を貼着する貼着層が形成され、前記転写部を被転写体から離間させることで前記粘着層を切断する転写具に用いられる転写テープにおいて、前記粘着層に、モース硬度が６以上の針状粒子を前記粘着層組成中に１．０〜３．０重量％含有したことを特徴とする転写テープ。
【請求項２】
針状粒子は、最大粒子径が５〜３０μｍ、粒子長さが３０〜５０μｍ、尖塔状又は柱状で最大粒子径と粒子長さの比が１：３以上のものが粒子全体の９０％以上を占めることを特徴とする請求項１記載の転写テープ。
【請求項３】
未使用の基材及び該基材に塗布された粘着層を巻装した送出軸と、前記粘着層を転写した後の前記基材を巻き取る巻取軸と、前記送出軸と前記巻取軸との基材搬送経路の途中箇所に設けられた転写部とを備え、前記転写部を被転写体に押しつけた状態で全体を移動させることで、前記基材に塗布された前記粘着層が該基材から被転写体上に転写されて貼着体を貼着する貼着層が形成され、前記転写部を被転写体から離間させることで前記粘着層を切断する転写具において、請求項１又は２記載の転写テープを備えたことを特徴とする転写具。
【請求項４】
基材に塗布された粘着層が被転写体上に転写されることで貼着体を貼着する貼着層が形成される転写テープにおいて、該被転写体に該貼着層を形成する際に、該基材上の粘着層を切断する方法であって、針状粒子を含有した粘着層を被転写体に接触させ、その状態で被転写体上で移動させて該被転写体上に貼着層を形成させ、前記基材を被転写体から離間させて針状粒子により前記粘着層を突き破って切断させることを特徴とする転写テープの粘着層の切断方法。
【手続補正３】
【補正対象書類名】明細書
【補正対象項目名】００１２
【補正方法】変更
【補正の内容】
【００１２】
【課題を解決するための手段】
上記の目的を達成するために、本発明は、転写部を被転写体に押しつけた状態で全体を移動させることで、基材に塗布された粘着層が基材から被転写体上に転写されて貼着体を貼着する貼着層が形成され、転写部を被転写体から離間させることで粘着層を切断する転写具に用いられる転写テープにおいて、粘着層に、モース硬度が６以上の針状粒子を粘着層組成中に１．０〜３．０重量％含有した。このようにすることで、粘着力を阻害することなく所望の位置で容易に切断できる。また、本発明は、前記において選択的に、針状粒子の最大粒子径を５〜３０μｍ、かつ粒子長さ３０〜５００μｍとすると共に、尖塔状又は柱状で最大粒子径と粒子長さの比が１：３以上のものが粒子全体の９０％以上を占めることで、前記効果をより一層顕著に得ることができる。さらに、上記した本発明の転写テープを備えた転写具、あるいは針状粒子を含有した転写テープの粘着層の切断方法においても、上記効果を得ることができる。
【手続補正４】
【補正対象書類名】明細書
【補正対象項目名】００１４
【補正方法】変更
【補正の内容】
【００１４】
本発明は、従来とは異なり、全体としての粘着力の低下させず、むしろ粘着層の主成分同士の粘性を高めて全体の粘着力を強化したときに、積極的に粘着層の膜を切断する改善を行った。その結果、粘着層に針状、具体的には柱状又は望ましくは尖塔状（端部が尖っている形状）の粒子を含有した。
【手続補正５】
【補正対象書類名】明細書
【補正対象項目名】００２８
【補正方法】変更
【補正の内容】
【００２８】
【実施例】
以下に、図１及び図２を参照して本発明の効果について説明する。以下において、実施例１〜１１は針状粒子を含有した態様であり、各々の実施例の条件の対応は図１及び図２に示す。また、比較例は針状粒子を含有していない態様である。さらに、実施例１〜７及び比較例１，２の各々において針状粒子又は球状粒子は、１．０重量部として統一し、針状粒子を含有させるときは、上記で説明したように、尖塔状又は柱状で最大粒子径と粒子長さの比が１：３以上であるものが粒子全体の９０％以上を占めるものを採用した。その他の条件については、図１及び図２に各々示す。
【手続補正６】
【補正対象書類名】明細書
【補正対象項目名】００２９
【補正方法】変更
【補正の内容】
【００２９】
実験に供した粘着塗剤は、次のように構成されている。
・針状又は球状粒子：１．０重量部（実施例１〜７及び比較例１，２）
・エマルジョン型アクリル系粘着剤：３７．０重量部（固形分換算重量部）
・ロジン系粘着付与剤：４．５重量部（固形分換算重量部）
・フタロシアニンブルー着色剤：１．５重量部
・はじき防止剤：２．５重量部
・水：５３．５重量部
なお、実施例８〜１１については、上記配合より針状又は球状粒子の重量部のみ図２の通り変化させ、その他の成分については、上記配合と同じ重量部である。
【手続補正７】
【補正対象書類名】明細書
【補正対象項目名】００３４
【補正方法】変更
【補正の内容】
【００３４】
図１は、実施例１〜６と、比較例１，２についての評価結果（切断性についてはテストＡ）を示している。なお、総合評価は良好な順から◎○△×で示し、括弧内は上記した評価点の総計である。また、条件の対応欄において○は対応していることを、△は対応するが範囲中心値より上下限に近い値であることを、×は対応していないことを示す。
【手続補正８】
【補正対象書類名】明細書
【補正対象項目名】００４１
【補正方法】変更
【補正の内容】
【００４１】
以上、図１に示す各例の全体のまとめとしては、実施例１〜６は、比較例１，２に較べて、総合的に良好な結果を得ることができた。そして、実施例１〜６においては、針状粒子の最大粒径が５〜３０μｍ、粒子長さが３０〜５００μｍとすれば総合評価が向上することが判明した。
【手続補正９】
【補正対象書類名】明細書
【補正対象項目名】００４２
【補正方法】変更
【補正の内容】
【００４２】
図２は、図１で最良の総合評価であった実施例４と、これに対して針状粒子の硬度を変えた実施例７〜１１について、評価結果（切断性についてはテストＢ）と、条件の対応とを示している。なお、実施例８〜１１は、針状粒子の量をそれぞれ０．３、０．５、１．４、１．７重量部に変えて含有割合を変動させている。総合評価は良好な順から◎○△×で示し、括弧内は上記した評価点の総計である。また、条件の対応欄において○は対応していることを、△は対応するが範囲中心値より上下限に近い値であることを、×は対応していないことを示す。
【手続補正１０】
【補正対象書類名】明細書
【補正対象項目名】００４４
【補正方法】変更
【補正の内容】
【００４４】
・実施例７は、総合評価◎（１５）で、図１及び図２の全ての例中最も良好な結果となった。この理由は、モース硬度の規定６以上を満たしているで切断性テストＢの評価が実施例４に較べて向上したことに加え、本発明の全ての条件を満たしていることに起因する。
【手続補正１１】
【補正対象書類名】明細書
【補正対象項目名】００４９
【補正方法】変更
【補正の内容】
【００４９】
以上、図２に示す各例の全体のまとめとしては、本発明の全ての条件を満たした実施例７は、それ以外の各例に較べて、総合的に良好な結果を得ることができた。そして、実施例７以外の他の実施例においては、針状粒子のモース硬度を６以上とすることにより切断性が良好となり、また、特に実施例７，９，１０と実施例８，１１との比較では針状粒子の含有割合を１．０〜３．０重量％とすることでより良好な結果を得ることができることが判明した。
【手続補正１２】
【補正対象書類名】明細書
【補正対象項目名】００５０
【補正方法】変更
【補正の内容】
【００５０】
【発明の効果】
以上のように、本発明の転写テープは、未使用の基材及び基材に塗布された粘着層を巻装した送出軸と、粘着層を転写した後の基材を巻き取る巻取軸と、該送出軸と該巻取軸との基材搬送経路の途中箇所に設けられた転写部とを備え、転写部を被転写体に押しつけた状態で全体を移動させることで、基材に塗布された粘着層が基材から被転写体上に転写されて貼着体を貼着する貼着層が形成され、転写部を被転写体から離間させることで粘着層を切断する転写具に用いられる転写テープにおいて、粘着層に、モース硬度が６以上の針状粒子を粘着層組成中に１．０〜３．０重量％含有したので、高い粘着力を維持しつつも、所望の箇所で確実に、かつ糸引きを生じることなく粘着層を切断することができる。そして、仮に粘着力を高くしても、最大粒子径を５〜３０μｍ、かつ粒子長さ３０〜５００μｍで、尖塔状又は柱状で最大粒子径と粒子長さの比が１：３以上のものが粒子全体の９０％以上を占める針状粒子を採用したりすることで上記した作用効果を得ることができると共に一層顕著にできる。また、本発明の転写テープを備えた転写具、あるいは針状粒子を含有した転写テープの粘着層の切断方法においても、上記効果を得ることができる。
【手続補正１３】
【補正対象書類名】図面
【補正対象項目名】図１
【補正方法】変更
【補正の内容】
【図１】
2003113353.tif 000001
【手続補正１４】
【補正対象書類名】図面
【補正対象項目名】図２
【補正方法】変更
【補正の内容】
【図２】
2003113353.tif 000002